(57)【要約】【課題】同報無線システムや画像監視システム等の情報通信システムに関し、職員の作業負荷を軽減し、また迅速な拡声放送を可能とする情報通信システムを提供する。【解決手段】拡声放送用テキスト生成機能２０１ａは、端末局装置３０から送信されたカメラ３５で検出された事象情報を受信すると事象の種類、発生時刻、端末局ＩＤを抽出し、端末局管理テーブル２０９ａに記憶し、これらの情報から拡声放送用のテキストを生成する。そして音声変換機能２０１ｂは、前述の拡声放送用テキスト生成機能ａにより生成された拡声放送用のテキストを拡声放送用の音声に変換する。これにより生成された拡声放送用の音声を端末局装置３０や戸別受信機４０へ無線送信し、拡声放送を実施する。【選択図】図１
2014183456.tif 000002
【特許請求の範囲】
【請求項１】
画像を取得する画像取得部と、前記取得した画像から画像処理により事象を検出する画像処理部と、有線または無線ネットワークを介してデータを送受信する通信部と、を有する端末局装置と、
事象情報を基に拡声放送の内容データを生成する拡声放送内容生成部と、有線または無線ネットワークを介してデータを送受信する通信部と、を有するセンター局装置と、を備え、
前記端末局装置は、前記画像処理部によって検出された事象情報を、前記通信部を介して前記センター局装置へ送信し、
前記センター局装置は、受信した事象情報に基づいて前記拡声放送内容生成部で拡声放送の内容データを生成することを特徴とする情報通信システム。
【請求項２】
前記端末局装置は、さらに、音声を拡声出力するスピーカを有し、
前記センター局装置は、前記拡声放送内容生成部で生成された拡声放送内容データを、前記通信部を介して前記端末局装置へ送信し、
前記端末局装置は、前記通信部を介して受信した拡声放送内容データを、前記スピーカから音声として拡声出力することを特徴とする請求項１に記載の情報通信システム。
【請求項３】
音声を拡声出力するスピーカと、有線または無線ネットワークを介してデータを送受信する通信部と、を有する拡声放送局装置をさらに備え、
前記センター局装置は、前記拡声放送内容生成部で生成された拡声放送内容データを、前記通信部を介して前記拡声局装置へ送信し、
前記拡声局装置は、前記通信部を介して受信した拡声放送内容データを、前記スピーカから音声として拡声出力することを特徴とする請求項１に記載の情報通信システム。
【請求項４】
情報を視覚的に表示する表示部と、有線または無線ネットワークを介してデータを送受信する通信部と、を有する表示装置をさらに備え、
前記センター局装置は、前記拡声放送内容生成部で生成された拡声放送内容データを、前記通信部を介して前記表示装置へ送信し、
前記表示装置は、前記通信部を介して受信した拡声放送内容データを、前記表示部に文字として表示することを特徴とする請求項１に記載の情報通信システム。
【請求項５】
前記拡声放送内容生成部は音声生成部であり、受信した事象情報を基に拡声放送用の音声データを生成することを特徴とする請求項１乃至請求項３に記載の情報通信システム。
【請求項６】
前記拡声放送内容生成部は、テキスト生成部であり、受信した事象情報を基に拡声放送用のテキストデータを生成することを特徴とする請求項１乃至請求項４に記載の情報通信システム。
【請求項７】
前記拡声放送内容生成部は、テキスト変換部と音声変換部から構成され、
前記テキスト変換部は受信した事象情報を基に拡声放送用のテキストデータを生成し、前記音声変換部は前記テキストデータを音声データに変換することを特徴とする請求項１乃至請求項４に記載の情報通信システム。
【請求項８】
前記センター局装置は、さらに、テキストデータを変更するテキスト変更部を有し、
前記テキスト変更部は、前記テキスト生成部で生成したテキスト内容を変更し、
前記音声変換部は、前記テキスト変換部で変更されたテキストデータを音声データに変換することを特徴とする請求項７に記載の情報通信システム。
【請求項９】
受信したデータを視覚的認識可能な態様で表示する表示部と、ユーザの操作を受け付ける入力部と、有線または無線ネットワークを介してデータを送受信する通信部と、を有する端末をさらに備え、
前記センター局装置は、前記テキスト生成部で生成した拡声放送用のテキストデータを前記端末へ送信し、
前記端末は、前記入力部によりユーザの編集操作を受け付けた場合には、当該編集操作応じて受信した拡声放送用のテキストデータを編集して前記センター局へ送信し、
前記入力部によりユーザの編集操作を受け付けなければ、受信した拡声放送用のテキストデータを編集せずに前記センター局へ送信することを特徴とする請求項６または請求項７に記載の情報通信システム。
【請求項１０】
前記センター局装置は、拡声放送用のテキストデータとともに拡声放送要否を選択するためのデータを前記端末へ送信し、
前記端末は、受信した拡声放送要否を選択するためのデータに基づいて、ユーザの操作により要または否が選択された拡声放送の要否データを前記拡声放送用のテキストデータとともに前記センター局へ送信し、
前記センター局装置は、前記拡声放送の要否データに基づいて拡声放送をするか否かを決定することを特徴とする請求項９に記載の情報通信システム。
【請求項１１】
画像を取得して画像から画像処理により事象を検出し、有線または無線ネットワークを介してデータを送受信する端末局装置と、
有線または無線ネットワークを介してデータを送受信する通信部を有するセンター局装置と、を備える情報通信システムにおいて、
前記端末局装置は、検出された事象情報を、前記通信部を介して前記センター局装置へ送信し、
前記センター局装置は、受信した事象情報に基づいて拡声放送の内容データを生成することを特徴とする情報通信方法。
【請求項１２】
前記端末局装置は、さらに、音声を拡声出力するスピーカを有し、
前記センター局装置は、生成された拡声放送内容データを、前記通信部を介して前記端末局装置へ送信し、
前記端末局装置は、受信した拡声放送内容データを、前記スピーカから音声として拡声出力することを特徴とする請求項１１に記載の情報通信方法。
【請求項１３】
音声を拡声出力するスピーカを有し、有線または無線ネットワークを介してデータを送受信する拡声放送局装置をさらに備え、
前記センター局装置は、生成された拡声放送内容データを、前記拡声局装置へ送信し、
前記拡声局装置は、受信した拡声放送内容データを、前記スピーカから音声として拡声出力することを特徴とする請求項１１に記載の情報通信方法。
【請求項１４】
情報を視覚的に表示する表示部し、有線または無線ネットワークを介してデータを送受信する表示装置をさらに備え、
前記センター局装置は、生成された拡声放送内容データを、前記表示装置へ送信し、
前記表示装置は、受信した拡声放送内容データを文字として表示することを特徴とする請求項１１に記載の情報通信方法。
【請求項１５】
前記拡声放送内容は音声データであり、受信した事象情報を基に拡声放送用の音声データを生成することを特徴とする請求項１１乃至請求項１３に記載の情報通信方法。
【請求項１６】
前記拡声放送内容はテキストデータであり、受信した事象情報を基に拡声放送用のテキストデータを生成することを特徴とする請求項１１乃至請求項１４に記載の情報通信方法。
【請求項１７】
前記拡声放送内容は、テキストデータと音声データであり、
受信した事象情報を基に拡声放送用のテキストデータを生成し、生成したテキストデータを音声データに変換することを特徴とする請求項１１乃至請求項１４に記載の情報通信方法。
【請求項１８】
前記センター局装置は、生成したテキスト内容を変更し、変更されたテキストデータを音声データに変換することを特徴とする請求項１７に記載の情報通信方法。
【請求項１９】
受信したデータを視覚的認識可能な態様で表示する表示部し、ユーザの操作を受け付け、有線または無線ネットワークを介してデータを送受信する端末をさらに備え、
前記センター局装置は、生成した拡声放送用のテキストデータを前記端末へ送信し、
前記端末は、よりユーザの編集操作を受け付けた場合には、当該編集操作応じて受信した拡声放送用のテキストデータを編集して前記センター局へ送信し、
ユーザの編集操作を受け付けなければ、受信した拡声放送用のテキストデータを編集せずに前記センター局へ送信することを特徴とする請求項１６または請求項１７に記載の情報通信方法。
【請求項２０】
前記センター局装置は、拡声放送用のテキストデータとともに拡声放送要否を選択するためのデータを前記端末へ送信し、
前記端末は、受信した拡声放送要否を選択するためのデータに基づいて、ユーザの操作により要または否が選択された拡声放送の要否データを前記拡声放送用のテキストデータとともに前記センター局へ送信し、
前記センター局装置は、前記拡声放送の要否データに基づいて拡声放送をするか否かを決定することを特徴とする請求項１９に記載の情報通信システム。
【請求項２１】
事象情報を基に拡声放送の内容データを生成する拡声放送内容生成部と、有線または無線ネットワークを介してデータを送受信する通信部と、を有し、
前記通信部を介して事象情報を受信すると、前記テキスト生成部は前記事象情報に基づいて前記拡声放送内容生成部で拡声放送の内容データを生成することを特徴とする情報通信装置。
【請求項２２】
前記拡声放送内容生成部は音声生成部であり、受信した事象情報を基に拡声放送用の音声データを生成することを特徴とする請求項２１に記載の情報通信装置。
【請求項２３】
前記拡声放送内容生成部は、テキスト生成部であり、受信した事象情報を基に拡声放送用のテキストデータを生成することを特徴とする請求項２１に記載の情報通信装置。
【請求項２４】
前記拡声放送内容生成部は、テキスト変換部と音声変換部から構成され、
前記テキスト変換部は受信した事象情報を基に拡声放送用のテキストデータを生成し、前記音声変換部は前記テキストデータを音声データに変換することを特徴とする請求項２１に記載の情報通信システム。
【請求項２５】
テキストデータを変更するテキスト変更部をさらに有し、
前記テキスト変更部は、前記テキスト生成部で生成したテキスト内容を変更し、
前記音声変換部は、前記テキスト変換部で変更されたテキストデータを音声データに変換することを特徴とする請求項２４に記載の情報通信装置。
【請求項２６】
受信したデータを視覚的認識可能な態様で表示する表示部と、ユーザの操作を受け付ける入力部と、有線または無線ネットワークを介してデータを送受信する通信部と、を有し、
前記通信部を介して拡声放送用のテキストデータを受信し、
前記入力部によりユーザの編集操作を受け付けた場合には、当該編集操作応じて受信した拡声放送用のテキストデータを編集して、前記拡声放送用のテキストデータの送信元へ送信し、
前記入力部によりユーザの編集操作を受け付けなければ、受信した拡声放送用のテキストデータを編集せずに前記拡声放送用のテキストデータの送信元へ送信することを特徴とする情報通信端末。
【請求項２７】
前記通信部を介して、拡声放送用のテキストデータとともに拡声放送要否を選択するためのデータを受信し、
受信した拡声放送要否を選択するためのデータに基づいて、ユーザの操作により要または否が選択された拡声放送の要否データを前記拡声放送用のテキストデータとともに前記拡声放送用のテキストデータの送信元へ送信することを特徴とする請求項２６に記載の情報通信端末。
【発明の詳細な説明】
【技術分野】
【０００１】
本発明は、同報無線システムや画像監視システム等の情報通信システムに関し、異常事象の発生に対する対応等について効果を発揮する技術に関する。
【背景技術】
【０００２】
例えば、従来の無線通信システムにおける情報の伝達方法としては、例えば、市町村防災デジタル無線通信システムが知られている。この市町村防災デジタル無線通信システムのような一般的な同報無線システムにおいては、行政機関にセンター局を設置し、行政管轄地区の屋外や施設内に複数の端末局装置を設置して、センター局装置から災害関連情報等の拡声放送用の音声等の情報をこれら端末局装置や戸別受信機へ同報無線により送信し、各端末局装置や戸別受信機で受信した拡声放送用の音声等の情報を、音声通報としてスピーカから拡声出力することが行われている。一般的な同報無線システムでは、センター局装置から複数の端末局装置へ、拡声放送用の音声等の情報を単一方向に無線送信することが行われる。
【０００３】
なお、無線通信システムにおいて、テレメータ等のセンサを用いて水位上昇といった災害関連情報を検知し、センサによる検知に基づいて監視カメラが撮影した画像を無線通信によりセンター局へ送信し、センター局側のモニタにセンサ発報に関係する画像を表示することが行われている（特許文献１参照）。
【０００４】
また、画像監視システムは、ホテルやビル、コンビニエンスストア金融機関、ダムまたは道路等といった様々な公共施設等において、犯罪抑止や事故防止等の目的で設置されている。従来の一般的な画像監視システムでは、カメラ等で監視対象エリアを撮像し、撮像された画像を管理事務所や警備室等の監視センターに伝送し、監視者が、伝送されてくる画像により監視対象を目視し、目的や必要に応じて注意や警告をしたり、画像を記録・保存したりするものであった。
【０００５】
なお、画像監視システムにおいて、取得した画像から侵入者等を検出してアラームを発生させることが行われている（特許文献２参照）。
【先行技術文献】
【特許文献】
【０００６】
【特許文献１】特開２００６−１６５９８１号公報
【特許文献２】特開２００９−２２５２７５号公報
【発明の概要】
【発明が解決しようとする課題】
【０００７】
従来の情報通信システムにおいては、異常事象の発生時に、送信された文字や画像を職員が目視して判断し、それから周知するための手作業が必要であった。
【０００８】
本発明はこの様な状況を鑑みて生まれたものであり、職員の作業負荷を軽減し、また異常事象の発生を迅速に通知することを可能とする情報通信システムを提供する。
【課題を解決するための手段】
【０００９】
上記課題を解決するために、本発明の情報通信システムは、画像を取得する画像取得部と、前記取得した画像から画像処理により事象を検出する画像処理部と、有線または無線ネットワークを介してデータを送受信する通信部と、を有する端末局装置と、事象情報を基に拡声放送の内容データを生成する拡声放送内容生成部と、有線または無線ネットワークを介してデータを送受信する通信部と、を有するセンター局装置と、を備え、前記端末局装置は、前記画像処理部によって検出された事象情報を、前記通信部を介して前記センター局装置へ送信し、前記センター局装置は、受信した事象情報に基づいて前記拡声放送内容生成部で拡声放送の内容データを生成する。
【００１０】
上記課題を解決するために、本発明の情報通信システムは、前記端末局装置は、さらに、音声を拡声出力するスピーカを有し、前記センター局装置は、前記拡声放送内容生成部で生成された拡声放送内容データを、前記通信部を介して前記端末局装置へ送信し、前記端末局装置は、前記通信部を介して受信した拡声放送内容データを、前記スピーカから音声として拡声出力する。
【００１１】
上記課題を解決するために、本発明の情報通信システムは、音声を拡声出力するスピーカと、有線または無線ネットワークを介してデータを送受信する通信部と、を有する拡声放送局装置をさらに備え、前記センター局装置は、前記拡声放送内容生成部で生成された拡声放送内容データを、前記通信部を介して前記拡声局装置へ送信し、前記拡声局装置は、前記通信部を介して受信した拡声放送内容データを、前記スピーカから音声として拡声出力する。
【００１２】
上記課題を解決するために、本発明の情報通信システムは、情報を視覚的に表示する表示部と、有線または無線ネットワークを介してデータを送受信する通信部と、を有する表示装置をさらに備え、前記センター局装置は、前記拡声放送内容生成部で生成された拡声放送内容データを、前記通信部を介して前記表示装置へ送信し、前記表示装置は、前記通信部を介して受信した拡声放送内容データを、前記表示部に文字として表示する。
【００１３】
上記課題を解決するために、本発明の情報通信システムは、前記拡声放送内容生成部は音声生成部であり、受信した事象情報を基に拡声放送用の音声データを生成する。
【００１４】
上記課題を解決するために、本発明の情報通信システムは、前記拡声放送内容生成部は、テキスト生成部であり、受信した事象情報を基に拡声放送用のテキストデータを生成する。
【００１５】
上記課題を解決するために、本発明の情報通信システムは、前記拡声放送内容生成部は、テキスト変換部と音声変換部から構成され、前記テキスト変換部は受信した事象情報を基に拡声放送用のテキストデータを生成し、前記音声変換部は前記テキストデータを音声データに変換する。
【００１６】
上記課題を解決するために、本発明の情報通信システムは、前記センター局装置は、さらに、テキストデータを変更するテキスト変更部を有し、前記テキスト変更部は、前記テキスト生成部で生成したテキスト内容を変更し、前記音声変換部は、前記テキスト変換部で変更されたテキストデータを音声データに変換する。
【００１７】
上記課題を解決するために、本発明の情報通信システムは、受信したデータを視覚的認識可能な態様で表示する表示部と、ユーザの操作を受け付ける入力部と、有線または無線ネットワークを介してデータを送受信する通信部と、を有する端末をさらに備え、前記センター局装置は、前記テキスト生成部で生成した拡声放送用のテキストデータを前記端末へ送信し、前記端末は、前記入力部によりユーザの編集操作を受け付けた場合には、当該編集操作応じて受信した拡声放送用のテキストデータを編集して前記センター局へ送信し、前記入力部によりユーザの編集操作を受け付けなければ、受信した拡声放送用のテキストデータを編集せずに前記センター局へ送信する。
【００１８】
上記課題を解決するために、本発明の情報通信システムは、前記センター局装置は、拡声放送用のテキストデータとともに拡声放送要否を選択するためのデータを前記端末へ送信し、前記端末は、受信した拡声放送要否を選択するためのデータに基づいて、ユーザの操作により要または否が選択された拡声放送の要否データを前記拡声放送用のテキストデータとともに前記センター局へ送信し、前記センター局装置は、前記拡声放送の要否データに基づいて拡声放送をするか否かを決定する。
【００１９】
上記課題を解決するために、本発明の情報通信方法は、画像を取得して画像から画像処理により事象を検出し、有線または無線ネットワークを介してデータを送受信する端末局装置と、有線または無線ネットワークを介してデータを送受信する通信部を有するセンター局装置と、を備える情報通信システムにおいて、前記端末局装置は、検出された事象情報を、前記通信部を介して前記センター局装置へ送信し、前記センター局装置は、受信した事象情報に基づいて拡声放送の内容データを生成する。
【００２０】
上記課題を解決するために、本発明の情報通信方法は、前記端末局装置は、さらに、音声を拡声出力するスピーカを有し、前記センター局装置は、生成された拡声放送内容データを、前記通信部を介して前記端末局装置へ送信し、前記端末局装置は、受信した拡声放送内容データを、前記スピーカから音声として拡声出力する。
【００２１】
上記課題を解決するために、本発明の情報通信方法は、音声を拡声出力するスピーカを有し、有線または無線ネットワークを介してデータを送受信する拡声放送局装置をさらに備え、前記センター局装置は、生成された拡声放送内容データを、前記拡声局装置へ送信し、前記拡声局装置は、受信した拡声放送内容データを、前記スピーカから音声として拡声出力する。
【００２２】
情報を視覚的に表示する表示部し、有線または無線ネットワークを介してデータを送受信する表示装置をさらに備え、前記センター局装置は、生成された拡声放送内容データを、前記表示装置へ送信し、前記表示装置は、受信した拡声放送内容データを文字として表示する。
【００２３】
前記拡声放送内容は音声データであり、受信した事象情報を基に拡声放送用の音声データを生成することを特徴とする請求項１１乃至請求項１３に記載の情報通信方法。
【００２４】
上記課題を解決するために、本発明の情報通信方法は、前記拡声放送内容はテキストデータであり、受信した事象情報を基に拡声放送用のテキストデータを生成する。
【００２５】
上記課題を解決するために、本発明の情報通信方法は、前記拡声放送内容は、テキストデータと音声データであり、受信した事象情報を基に拡声放送用のテキストデータを生成し、生成したテキストデータを音声データに変換する。
【００２６】
上記課題を解決するために、本発明の情報通信方法は、前記センター局装置は、生成したテキスト内容を変更し、変更されたテキストデータを音声データに変換する。
【００２７】
上記課題を解決するために、本発明の情報通信方法は、受信したデータを視覚的認識可能な態様で表示する表示部し、ユーザの操作を受け付け、有線または無線ネットワークを介してデータを送受信する端末をさらに備え、前記センター局装置は、生成した拡声放送用のテキストデータを前記端末へ送信し、前記端末は、よりユーザの編集操作を受け付けた場合には、当該編集操作応じて受信した拡声放送用のテキストデータを編集して前記センター局へ送信し、ユーザの編集操作を受け付けなければ、受信した拡声放送用のテキストデータを編集せずに前記センター局へ送信する。
【００２８】
上記課題を解決するために、本発明の情報通信方法は、前記センター局装置は、拡声放送用のテキストデータとともに拡声放送要否を選択するためのデータを前記端末へ送信し、前記端末は、受信した拡声放送要否を選択するためのデータに基づいて、ユーザの操作により要または否が選択された拡声放送の要否データを前記拡声放送用のテキストデータとともに前記センター局へ送信し、前記センター局装置は、前記拡声放送の要否データに基づいて拡声放送をするか否かを決定する。
【００２９】
上記課題を解決するために、本発明の情報通信装置は、事象情報を基に拡声放送の内容データを生成する拡声放送内容生成部と、有線または無線ネットワークを介してデータを送受信する通信部と、を有し、前記通信部を介して事象情報を受信すると、前記テキスト生成部は前記事象情報に基づいて前記拡声放送内容生成部で拡声放送の内容データを生成する。
【００３０】
上記課題を解決するために、本発明の情報通信装置は、前記拡声放送内容生成部は音声生成部であり、受信した事象情報を基に拡声放送用の音声データを生成する。
【００３１】
上記課題を解決するために、本発明の情報通信装置は、前記拡声放送内容生成部は、テキスト生成部であり、受信した事象情報を基に拡声放送用のテキストデータを生成する。
【００３２】
上記課題を解決するために、本発明の情報通信装置は、前記拡声放送内容生成部は、テキスト変換部と音声変換部から構成され、前記テキスト変換部は受信した事象情報を基に拡声放送用のテキストデータを生成し、前記音声変換部は前記テキストデータを音声データに変換する。
【００３３】
上記課題を解決するために、本発明の情報通信装置は、テキストデータを変更するテキスト変更部をさらに有し、前記テキスト変更部は、前記テキスト生成部で生成したテキスト内容を変更し、前記音声変換部は、前記テキスト変換部で変更されたテキストデータを音声データに変換する。
【００３４】
上記課題を解決するために、本発明の情報通信端末は、受信したデータを視覚的認識可能な態様で表示する表示部と、ユーザの操作を受け付ける入力部と、有線または無線ネットワークを介してデータを送受信する通信部と、を有し、前記通信部を介して拡声放送用のテキストデータを受信し、前記入力部によりユーザの編集操作を受け付けた場合には、当該編集操作応じて受信した拡声放送用のテキストデータを編集して、前記拡声放送用のテキストデータの送信元へ送信し、前記入力部によりユーザの編集操作を受け付けなければ、受信した拡声放送用のテキストデータを編集せずに前記拡声放送用のテキストデータの送信元へ送信する。
【００３５】
上記課題を解決するために、本発明の情報通信装置は、前記通信部を介して、拡声放送用のテキストデータとともに拡声放送要否を選択するためのデータを受信し、受信した拡声放送要否を選択するためのデータに基づいて、ユーザの操作により要または否が選択された拡声放送の要否データを前記拡声放送用のテキストデータとともに前記拡声放送用のテキストデータの送信元へ送信する。
【００３６】
上記課題を解決するために、本発明の情報通信システムは、前記端末局装置は、さらに、受信した音声を拡声出力するスピーカを備え、前記センター局装置は、前記音声変換部で変換された音声データを、前記通信部を介して前記端末局装置へ送信し、前記端末局装置は、前記通信部を介して受信した音声データを、前記スピーカから拡声出力する。
【００３７】
上記課題を解決するために、本発明の情報通信システムは、さらに、受信した音声を拡声出力するスピーカと、有線または無線ネットワークを介してデータを送受信する通信部と、を備える拡声局装置をさらに備え、前記センター局装置は、前記音声変換部で変換された音声データを、前記通信部を介して前記拡声局装置へ送信し、前記拡声局装置は、前記通信部を介して受信した音声データを、前記スピーカから拡声出力する。
【００３８】
上記課題を解決するために、本発明の情報通信システムは、前記センター局装置は、さらに、テキストを変更するテキスト変更部を備え、前記テキスト変更部は、前記テキスト生成部で生成したテキストを変更し、前記音声変換部は、前記テキスト変換部で変更されたテキストを音声データに変換する。
【００３９】
上記課題を解決するために、本発明の情報通信方法は、画像を取得する画像取得部と、前記取得した画像から画像処理により事象を検出する画像処理部と、事象情報を基にテキストを生成するテキスト生成部と、テキストを音声に変換する音声変換部と、を備える情報通信システムにおいて、画像を取得し、取得した画像から画像処理により事象を検出し、検出した事象に基づいてテキストを生成し、生成したテキストを音声データに変換する。
【００４０】
上記課題を解決するために、本発明の情報通信方法は、前記情報通信システムは、さらに、受信した音声を拡声出力するスピーカを備え、変換された音声データを前記スピーカから拡声出力する。
【００４１】
上記課題を解決するために、本発明の情報通信方法は、前記センター局装置は、さらに、テキストを変更するテキスト変更部を備え、前記テキスト変更部は、前記テキスト生成部で生成したテキストを変更し、前記音声変換部は、前記テキスト変換部で変更されたテキストを音声データに変換する。
【００４２】
上記課題を解決するために、本発明の情報通信装置は、事象情報を基にテキストを生成するテキスト生成部と、テキストを音声に変換する音声変換部と、有線または無線ネットワークを介してデータを送受信する通信部と、を備え、前記通信部を介して事象情報を受信すると、前記テキスト生成部は前記事象情報に基づいてテキストを生成し、前記音声変換部は前記テキストを音声データに変換する。
【００４３】
上記課題を解決するために、本発明の情報通信方法は、さらに、変換された音声データを、拡声出力するために前記通信部を介してスピーカに出力する。
【００４４】
上記課題を解決するために、本発明の情報通信方法は、受信した音声を拡声出力するスピーカをさらに備え、変換された音声データを、前記スピーカから拡声出力する。
【００４５】
上記課題を解決するために、本発明の情報通信方法は、テキストを変更するテキスト変更部をさらに備え、前記テキスト変更部は、前記テキスト生成部で生成したテキストを変更し、前記音声変換部は、前記テキスト変換部で変更されたテキストを音声データに変換する。
【発明の効果】
【００４６】
本発明によれば、カメラで取得した画像から異常事象を検出し、この情報を基に通知用の音声を自動で生成することにより、職員の作業負荷が軽減し、また迅速な異常事態の通知が可能となる。
【図面の簡単な説明】
【００４７】
【図１】本発明の情報通信システムの第１の実施の形態である無線通信システムを示すシステム構成図である。
【図２】本発明の情報通信システムの第１の実施の形態である無線通信システムの操作卓の構成を示す内部構成図である。
【図３】本発明の情報通信システムの第１の実施の形態である無線通信システムにおける無線通信方法の一実施の形態を示すフローチャートである。
【図４】本発明の情報通信システムの第２の実施の形態である無線通信システムの他の実施の形態を示すシステム構成図である。
【図５】本発明の情報通信システムの第２の実施の形態である画像監視システムを示す構成図である。
【図６】本発明の情報通信システムの第２の実施の形態である画像監視システムにおける通信方法の一実施の形態を示すフローチャートである。
【図７】本発明の情報通信システムの第３の実施の形態である画像監視システムにおける通信方法の一実施の形態を示すフローチャートである。
【図８】本発明の情報通信システムの第４の実施の形態である画像監視システムにおける通信方法の一実施の形態を示すフローチャートである。
【発明を実施するための形態】
【００４８】
（第１の実施の形態）
本発明に係る実施の形態を、図面を参照して説明する。本実施の形態では、市区町村などの防災に関する無線通信システムであるデジタル同報無線システムに本発明を適用した場合を示す。
【００４９】
本実施の形態に係るデジタル同報通信システムは、例えば、災害時に行政機関から住民に対して災害関連情報を報知する等の用途として用いられ、センター局装置から同報無線送信した拡声放送用の音声等の情報を、所定の場所に設置された複数の端末局装置などで受信して出力する。具体例として、６０ＭＨｚ帯（５４〜７０ＭＨｚ）における市町村デジタル防災無線通信方式であるＴＤＭＡ−ＴＤＤ方式による防災行政用のデジタル同報無線システムにおいて、同報無線回線を利用して、センター局装置と端末局装置などとの間で、音声情報や他の符号情報等による通報を行う機能を備える。
【００５０】
本実施の形態に係るデジタル同報無線システムでは、例えば、災害が発生した時などに、行政機関から住民に対して災害関連の情報を一斉通報により報知することが行われる。具体的には、センター局装置に設置された操作卓や基地局無線送受信装置により、各地域における屋外や一般家庭や集会所や学校などに設置された端末局装置などに対して、災害に関する情報や、緊急指令の情報や、避難勧告の情報などを、通話による音声情報または文字情報等の非音声情報による拡声放送用の音声等の情報として送信して、住民へ拡声放送用の音声等の情報を伝達する。
【００５１】
通信システムとしては、例えば、端末局装置が固定的に設置されるような固定系の通信システムに適用されてもよく、或いは、端末局装置が携帯電話のように移動可能な通信システムに適用されてもよい。なお、本実施の形態では、複数の端末局装置はそれぞれの地域の場所に設置されており、複数の戸別受信機は例えば市町村内の住居に戸別毎（世帯毎）に設置されている或いはそれぞれの操作者（所有者）により携帯されている。
また、一般に、基地局装置（本実施の形態では、センター局装置）から端末局装置などへの通信の方向を下りと言い、端末局装置などから基地局装置（本実施の形態では、センター局装置）への通信の方向を上りと言う。
【００５２】
図１には、本発明の情報通信システムの一実施の形態である無線通信システムを示すシステム構成図を示してある。本実施の形態に係るデジタル同報無線システムでは、センター局装置１０と、複数であるｎ個の端末局装置３０（１）〜３０（ｎ）と、複数であるｍ個の戸別受信機４０（１）〜４０（ｍ）を設けてある。なお、複数の端末局装置３０（１）〜３０（ｎ）の数ｎや、複数の戸別受信機４０（１）〜４０（ｍ）の数ｍとしては、それぞれ、種々な数が用いられてもよい。以降、この様な複数の装置は、特に区別して記載しないが、複数で記載しないからといって特定の端末に限られるわけではない。
【００５３】
また、図１には、センター局装置１０と端末局装置３０（１）との間の無線回線２１や、センター局装置１０と端末局装置３０（ｎ）との間の無線回線２２や、センター局装置１０と戸別受信機４０（１）との間の無線回線２３を示してある。本例では、センター局装置１０の基地局無線送受信装置１が、端末局装置３０（１）〜３０（ｎ）および戸別受信装置４０（１）〜４０（ｍ）と、無線回線２１〜２３により接続される。
【００５４】
また、本実施の形態では、各端末局装置３０（１）〜３０（ｎ）の構成や動作は同様であるため、１個の端末局装置３０（１）のみについて符号を付して構成を示してあり、また、各戸別受信機４０（１）〜４０（ｍ）の構成や動作は同様であるため、１個の戸別受信機４０（１）のみについて符号を付して構成を示してある。
【００５５】
また、本実施の形態では、主に、センター局装置１０と端末局装置３０（１）〜３０（ｎ）との間で通信する場合について説明するが、例えば、端末局装置３０（１）〜３０（ｎ）と同様な構成や動作を、戸別受信機４０（１）〜４０（ｍ）に適用することも可能である。
【００５６】
センター局装置１０には、センター局制御部１１やセンター局無線部１２やセンター局アンテナ１３を有し無線通信する基地局無線送受信装置１と、操作者により操作されて各種の指令などを受け付ける操作卓２が備えられている。操作卓２は、基地局無線送受信装置１に対して、操作員による緊急情報等の拡声放送用音声信号の送出等をするものであり、操作員が入力するためのキーボード等の入力手段や、ＬＣＤ（Liquid  Crystal  Display）等の表示出力手段を備える。センター局無線部１２は、端末局装置３０に対し、音声信号や制御信号を無線で送信する。センター局アンテナ１３は、端末局と無線通信するためのアンテナである。センター局制御部１１は、音声情報や制御情報等を無線通信するための所定のフォーマットやレベル等をコントロールし、また端末局装置３０から送信されセンター局無線部１２で受信した画像や情報を読み出して出力し、ハードウエア構成としては、ＣＰＵ（Central  Processing  Unit）と制御部１１の動作プログラム等を格納するメモリを備えており、ＣＰＵは、この動作プログラムに従って動作する。
【００５７】
各端末局装置３０（１）〜３０（ｎ）には、端末局制御部３１や端末局無線部３２や端末局アンテナ３３を有し無線通信する端末局本体装置３と、音声を拡声放送として出力するトランペットスピーカ３４と、画像を取得するＣＣＤ（Charge  Coupled  Device）などの撮像素子を含む画像取得部３６や画像処理により事象を検出する画像処理部３７とを有し画像と事象情報を出力するカメラ３５と、が備えられている。端末局アンテナ３３は、センター局と無線通信するためのアンテナである。端末局無線部３２は、センター局１０から無線送信された拡声放送用の音声等の情報を受信する。
【００５８】
端末局制御部３１は、端末局無線部３２で受信した拡声放送用の音声等の情報を読出して出力し、またカメラ３５で取得した画像や事象情報等を無線通信するための所定のフォーマットやレベル等をコントロールする。ハードウエア構成としては、ＣＰＵ（Central  Processing  Unit）と端末局制御部３１の動作プログラム等を格納するメモリを備えており、ＣＰＵは、この動作プログラムに従って動作する。
【００５９】
各戸別受信機４０（１）〜４０（ｍ）には、操作者の操作を受け付け通報音声の録音再生を制御する録音再生部４１と、音声を操作者へ出力するモニタスピーカ４２と、が備えられている。
【００６０】
ここで、本実施の形態では、センター局装置１０に対して、複数の端末局装置３０（１）〜３０（ｎ）や複数の戸別受信機４０（１）〜４０（ｍ）が直接的に無線回線２１〜２３を介して接続されるシステム構成を示すが、例えば、中継局装置を設けて、センター局装置１０と複数の端末局装置３０（１）〜３０（ｎ）や複数の戸別受信機４０（１）〜４０（ｍ）とが中継局装置を介して接続されるようなシステム構成が用いられても良い。
【００６１】
図２には、本発明の情報通信システムの一実施の形態である無線通信システムの操作卓の構成を示す内部構成図を示してある。センター局１０は、市町村役場等に設置されるもので、基地局無線送受信装置１と操作卓２を備える。
【００６２】
操作卓２は、ＣＰＵと操作卓２の動作プログラム等格納するメモリとからなるセンター局制御部２０１を備え、このセンター局制御部２０１には記憶部２０９及びインターフェース群が接続されている。インターフェース群は、出力インターフェース２０２、入力インターフェース２０４、表示インターフェース２０６及び無線インターフェース２１０とから構成される。
【００６３】
出力インターフェース２０２はセンター局制御部２０１で生成された音声信号をアナログ信号に変換してスピーカ２０３から拡声出力する。入力インターフェース２０４には、マイクロホン２０５及び入力部２０７が接続されている。入力インターフェース２０４は、マイクロホン２０５から入力されたシステム管理者の通報音声、及び入力部２０７により入力された操作情報をデジタル信号に変換してセンター局制御部２０１へ出力する。表示インターフェース２０６は、センター局制御部２０１から出力された表示データを表示部２０８に表示する。表示部２０８には、例えばＬＣＤ等の表示装置が使用される。無線インターフェース２１０は、センター局制御部２０１の制御の下、基地局無線送受信装置１との間で信号を送受信する。
【００６４】
基地局無線送受信装置１は、上記操作卓２から出力された送信信号により変調された下り無線信号を生成し、この生成された下り無線信号をこのシステムに割り当てられた無線周波数に変換してアンテナ１３から送信する。また、端末局から送られた上り無線信号を受信して復調し、この復調により再生された受信信号をセンター局制御部２０１に転送する。なお、上記下り無線信号を端末局に対し直接送信する場合には同報波が、また中継局を介して送信する場合には同報波とは周波数が異なる中継波が使用される。
【００６５】
記憶部２０９には、端末局管理テーブル２０９ａ、事象テーブル２０９ｂ、および音声データ２０９ｃが記憶されている。端末局管理テーブル２０９ａには、このシステムに属する端末局のＩＤに対応付けて、端末局の状態変化を表わすデータとその時刻、および端末局の設置位置を表わす位置データが記憶されている。なお、本実施の形態では、位置データは、例えは緯度経度により表わされるが、地区の名称や施設の名称などが記憶されていてもよい。
【００６６】
センター局制御部２０１は、ポーリング制御機能に加え、さらにこの発明に係わる制御機能として、拡声放送用テキスト生成機能２０１ａおよび音声変換機能２０１ｂを備えている。これらの制御機能はいずれも、図示しないプログラムメモリに格納されたアプリケーション・プログラムをＣＰＵに実行させることにより実現される。
【００６７】
ポーリング制御機能は、所定の時間ごとに管理エリアに存在する全ての端末局に対して端末局監視信号を送信する。そして、この端末局監視信号を受信した各端末局から送信されるポーリング応答信号の受信処理を実行する。センター局制御部２０１は、ポーリング応答信号を受信すると、このポーリング応答信号から、端末局ＩＤ、状態データ及びその検出時刻を抽出し、抽出された情報を端末局管理テーブル２０９ａに記憶すると共に、端末局ＩＤに対応付けて上記状態データ及びその検出時刻を表示部２０８に一覧表示する。
【００６８】
拡声放送用テキスト生成機能２０１ａは、端末局装置３０から送信されたカメラ３５で検出された事象情報を受信すると事象の種類、発生時刻、端末局ＩＤを抽出し、端末局管理テーブル２０９ａに記憶し、これらの情報から拡声放送用のテキストを生成する。このとき、センター局制御部２０１が記憶部２０９内の端末局管理テーブル２０９ａおよび事象テーブル２０９ｂを参照し、例えば事象に応じたテキスト定型文に時刻や場所の情報を組み込んで拡声放送用のテキストを作成し、表示部２０８に画像等と共に表示する。このとき生成されるテキストは、例えば、「○時○分頃、△△町△町目で火災が発生しました。近隣住民の皆さんは速やかに避難してください。」「○時○分頃、△川の□橋付近で水位が警戒水位に達しました。△川には近付かないでください。」等である。ここで場所情報は、端末局３０の設置場所の住所が記憶されていてもよいし、近隣の施設の名称等が記憶されていてもよく、これらの情報が抽出されてテキスト化される。
【００６９】
音声変換機能２０１ｂは、前述の拡声放送用テキスト生成機能２０１ａにより生成された拡声放送用のテキストを拡声放送用の音声に変換する。このとき、センター局制御部２０１が記憶部２０９内の音声データ２０９ｃを参照し、テキストに応じた音声を生成する。例えば、定型文に対応する音声を記憶しておき、時間や場所の音声を各文字の音声を繋ぎ合せて生成してもよいし、全ての文字の音声を繋ぎ合せて生成してもよい。生成した音声は、必要に応じてスピーカ２０３から出力してもよい。
【００７０】
拡声放送用テキスト生成機能２０１ａにより生成された拡声放送用のテキストまたは音声変換機能２０１ｂにより生成された拡声放送用の音声は、入力部２０７からの修正指示を受け付けると修正内容に応じて再生成される。
【００７１】
入力部２０７から拡声放送の指示が出ると、拡声放送用の音声は、無線Ｉ／Ｆ２１０および基地局無線送受信装置１を介してセンター局アンテナ１３より指定された基地局または全ての端末局３０または／および戸別受信機４０に対して無線伝送される。端末局３０は拡声放送用の音声を受信すると、無線部３２および制御部３１を介して、トランペットスピーカ３４から拡声放送用の音声が拡声放送される。
【００７２】
図３を用いて、本発明の情報通信システムの一実施の形態である無線通信システムにおける無線通信方法について説明する。ここではカメラで異常事象を検出するところから拡声放送を実施するところまでを説明する。
【００７３】
端末局装置３０内に設置されたカメラ３５は、監視区域を撮影し、画像取得部３６で入射光を電気信号に変換することで画像を取得する（Ｓ１）。取得した画像は画像処理部３７によって画像処理され、異常事象の有無を判定する（Ｓ２）。異常事象を検知すると（Ｙｅｓ）Ｓ３の処理へ進み、異常事象を検知しなければ（Ｎｏ）Ｓ１の処理を繰り返す。
【００７４】
ここで、Ｓ２の異常事象の判定について説明する。例えば増水であれば、ある目印を定めておき、取得した画像内の目印まで水位が達したら増水と判断でき、火災であれば、画像取得部５６に赤外線センサを用いて、画像内に揺らぎのある高温領域が一定期間存在していれば火災と判断でき、土砂崩れであれば、山や崖の一部が変化し、道路や建物等が土砂で検出できなくなると土砂崩れと判断でき、橋の崩壊であれば、橋の基準画像と比較して橋の一部が欠落していることを検出すると橋の崩壊と判断できる。その他様々な事象が検出でき、これらはパターンマッチング等の既知の画像処理技術により実現可能である。
【００７５】
Ｓ２で異常事象を検出すると、画像と検出した事象の種類情報を、検出時刻や端末局ＩＤと共に無線回線２１を介してセンター局１０へ送信する（Ｓ３）。ここでは画像も送信することにしてあるが、拡声放送用のテキストを作成するのに最低限必要な事象の種類情報と時間情報と端末局ＩＤ等といった、データ量の少ない情報のみを送信することとしてもよい。
【００７６】
センター局１０では、これらの情報を受信すると、操作卓２内のセンター局制御部２０１へ入力する。そして、拡声放送用テキスト生成機能２０１ａにより、受信した事象情報に基づいて拡声放送用のテキストを生成する（Ｓ４）。ここで、拡声放送が必要か不要かを操作者に判断させ（Ｓ５）、必要と判断された場合には（Ｙｅｓ）Ｓ６へ進み、不要と判断された場合には（Ｎｏ）拡声放送せずに処理を終了する。拡声放送が必要と判断された場合、拡声放送用のテキストの内容確認が必要な設定か否かによって処理が分岐する（Ｓ６）。確認が必要ない場合には（Ｎｏ）、Ｓ９の処理へ進み自動的に拡声放送する。確認が必要な場合には（Ｙｅｓ）、Ｓ７の処理へ進む。
【００７７】
確認が必要な設定の場合、操作者が、表示部２０８に表示された拡声放送用テキストを確認し（Ｓ７）、修正が必要な場合（Ｙｅｓ）はＳ８の処理へ進み、修正が必要ない場合（Ｎｏ）は、操作者により拡声放送開始操作が入力されＳ９の処理へ進む。拡声放送用テキストの修正が必要な場合、操作者が入力部２０７を用いて拡声放送用テキストが修正（Ｓ８）され、拡声放送開始操作が入力されＳ９の処理へ進む。このとき、操作者の操作により拡声放送する端末局装置３０または／および戸別受信機４０を指定するか、全端末局装置３０または／および全戸別受信機４０を指定するか、または、予め設定しておいてもよい。
【００７８】
Ｓ９では、拡声放送用のテキストを拡声放送用の音声に変換する（Ｓ９）。変換された拡声放送用の音声は、指定したまたは全ての端末局３０または／および戸別受信機４０に対し拡声放送用の音声データを送信する（Ｓ１０）。
【００７９】
そして、端末局装置３０は、拡声放送用の音声を受信すると、トランペットスピーカ３４から拡声放送用の音声を拡声放送する（Ｓ１１）。
【００８０】
なお、Ｓ５の判断では、操作員が拡声放送の必要の有無を判断することとしたが、センター局制御部２０１が自動で判断するようにしてもよく、その際には、事象テーブル２０９ｂに事象ごとの拡声放送必要の有無を設定しておき、センター局制御部２０１が記憶部２０９の事象テーブル２０９ｂを参照して、拡声放送必要の有無の設定に応じて判断する。
【００８１】
以上に詳述したように、本実施の形態によれば、端末局装置に設置されたカメラにより異常事象を検出し、拡声放送用のテキストおよび音声を自動で生成するため、緊急の場合等に住民たちにより早く危険を知らせることができる。
【００８２】
（第１の実施の形態の変形例）
図４には、本発明の無線通信システムの一実施の形態を示すシステム構成図を示してある。本実施の形態に係るデジタル同報無線システムは、端末局装置３０とは異なる場所に設置された監視端末局装置５０において画像を取得し異常事象を検出する点で、第１の実施の形態と異なる。以降、図を用いて説明するが、第１の実施の形態と同じ部分については一部省略して記載する。
【００８３】
本実施の形態に係るデジタル同報無線システムでは、センター局装置１０と、複数であるｎ個の端末局装置３０（１）〜３０（ｎ）と、複数であるｍ個の戸別受信機４０（１）〜４０（ｍ）と、複数であるｌ個の監視端末局装置５０（１）〜（ｌ）を設けてある。なお、複数の端末局装置３０（１）〜３０（ｎ）の数ｎや、複数の戸別受信機４０（１）〜４０（ｍ）の数ｍや、複数の監視端末局装置５０（１）〜（ｌ）の数ｌとしては、図には１つしか記載していないものもあるが、それぞれ、種々な数が用いられてもよく、場合によっては１であってもよい。
【００８４】
また、図１には、センター局装置１０と端末局装置３０（１）との間の無線回線２１や、センター局装置１０と戸別受信機４０（１）との間の無線回線２３や、センター局装置１０と監視端末局装置３５（ｌ）との間の無線回線２４を示してある。本例では、センター局装置１０の基地局無線送受信装置１が、端末局装置３０（１）〜３０（ｎ）、戸別受信装置４０（１）〜４０（ｍ）、監視端末局装置５０（１）〜（ｌ）と、無線回線２１，２３，２４により接続される。
【００８５】
また、本実施の形態では、各端末局装置３０（１）〜３０（ｎ）の構成や動作は同様であるため、１個の端末局装置３０（１）のみについて符号を付して構成を示してあり、また、各戸別受信機４０（１）〜４０（ｍ）の構成や動作は同様であるため、１個の戸別受信機４０（１）のみについて符号を付して構成を示してあり、監視端末局装置５０（１）〜（ｌ）の構成や動作は同様であるため、１個の監視端末局装置５０（１）のみについて符号を付して構成を示してある。
【００８６】
また、本実施の形態では、主に、センター局装置１０と端末局装置３０（１）〜３０（ｎ）および監視端末局装置５０（１）〜（ｌ）との間で通信する場合について説明するが、例えば、端末局装置３０（１）〜３０（ｎ）と同様な構成や動作を、戸別受信機４０（１）〜４０（ｍ）に適用することも可能である。
【００８７】
センター局装置１０の構成や動作は第１の実施の形態と基本的に同様であるが、記憶部２０９の端末局管理テーブル２０９ａには監視端末局装置５０（１）〜（ｌ）の事象検知や時刻等の状態情報や設置位置を表す位置データも、端末局装置３０（１）〜３０（ｎ）の情報と共に記憶される。なお、事象検知や時刻等の状態情報は、主に、カメラ５５で異常事象を検出した際に記憶される。
【００８８】
端末局装置３０（１）〜３０（ｎ）の構成や動作は、カメラがないところ以外は第１の実施の形態と同様であるが、中にはカメラが設置されているものがあってもよい。そのカメラで異常事象を検出した場合は、第１の実施の形態の動作と同様である。戸別受信機４０（１）〜４０（ｍ）の構成や動作についても第１の実施の形態と同様である。
【００８９】
各監視端末局装置５０（１）〜（ｌ）には、監視端末局制御部５１や監視端末局無線部５２や監視端末局アンテナ５３を有し無線通信する端末局本体装置５と、画像を取得するＣＣＤなどの撮像素子を含む画像取得部５６や画像処理により事象を検出する画像処理部５７とを有し画像と事象情報を出力するカメラ５５と、が備えられている。監視端末局アンテナ５３は、センター局１０と無線通信するためのアンテナである。監視端末局無線部５２は、センター局１０から無線送信された拡声放送用の音声等の情報を受信する。
【００９０】
ここで、本実施の形態では、センター局装置１０に対して、複数の端末局装置３０（１）〜３０（ｎ）や複数の戸別受信機４０（１）〜４０（ｍ）や複数の監視端末局装置５０（１）〜（ｌ）が直接的に無線回線２１，２３，２４を介して接続されるシステム構成を示すが、例えば、中継局装置を設けて、センター局装置１０と複数の端末局装置３０（１）〜３０（ｎ）や複数の戸別受信機４０（１）〜４０（ｍ）や監視端末局装置５０（１）〜（ｌ）とが中継局装置を介して接続されるようなシステム構成が用いられても良い。
【００９１】
センター局１０では、操作者が操作卓２の入力部２０７からカメラを指定して画像を要求すると、センター局制御部２０１で画像要求信号が生成され、基地局無線送受信装置１を介してセンター局アンテナ１３から無線送信される。監視端末局装置５０では、画像要求信号を監視端末局アンテナ１３から受信すると、監視端末局本体５の無線部５２を介して監視端末局制御部５１が受信し、カメラ５５に対し画像を要求する。カメラ５５は要求に応じて監視端末局制御部５１へ画像を出力し、監視端末局制御部５１は、監視端末局無線部５２を介して、監視端末局アンテナ５３から画像をセンター局１０へ向けて無線送信する。センター局１０では、画像をセンター局アンテナ１３から受信すると、基地局無線送受信装置１の無線部１２を介して制御部１１が受信し、操作卓２へ出力する。操作卓２では、受信した画像をセンター局制御部２０１が表示部２０８へ出力して表示部２０８に画像が表示される。これにより、センター局１０側での操作により、所望の画像を閲覧することができる。
【００９２】
監視端末局装置５０において画像を取得し、異常事象を検出し、センター局へ無線送信する処理は、第１の実施の形態における処理と同様である。
【００９３】
ここで、図３を用いて、本発明の情報通信システムの一実施の形態である無線通信システムにおける無線通信方法について説明する。ここではカメラで異常事象を検出するところから拡声放送を実施するところまでを説明する。
【００９４】
監視端末局装置５０内に設置されたカメラ５５は、監視区域を撮影し、画像取得部５６で入射光を電気信号に変換することで画像を取得する（Ｓ１）。取得した画像は画像処理部５７によって画像処理され、異常事象の有無を判定する（Ｓ２）。異常事象を検知すると（Ｙｅｓ）Ｓ３の処理へ進み、異常事象を検知しなければ（Ｎｏ）Ｓ１の処理を繰り返す。
【００９５】
Ｓ２で異常事象を検出すると、画像と検出した事象の種類情報を、検出時刻や監視端末局ＩＤと共に無線回線２４を介してセンター局１０へ送信する（Ｓ３）。ここでは画像も送信することにしてあるが、事象情報等のデータ量の少ない情報のみを送信することとしてもよい。
【００９６】
センター局１０では、これらの情報を受信すると、操作卓２内のセンター局制御部２０１へ入力する。そして、拡声放送用テキスト生成機能２０１ａにより、受信した事象情報に基づいて拡声放送用のテキストが生成される（Ｓ４）。ここで、拡声放送が必要か不要かを操作者に判断させ（Ｓ５）、必要と判断された場合には（Ｙｅｓ）Ｓ６へ進み、不要と判断された場合には（Ｎｏ）拡声放送せずに処理を終了する。拡声放送が必要と判断された場合、拡声放送用のテキストの内容確認が必要な設定か否かによって処理が分岐する（Ｓ６）。確認が必要ない場合には（Ｎｏ）、Ｓ９の処理へ進み自動的に拡声放送する。確認が必要な場合には（Ｙｅｓ）、Ｓ７の処理へ進む。
【００９７】
確認が必要な設定の場合、操作者が、表示部２０８に表示された拡声放送用テキストを確認し（Ｓ７）、修正が必要な場合（Ｙｅｓ）はＳ８の処理へ進み、修正が必要ない場合（Ｎｏ）は、操作者により拡声放送開始操作が入力されＳ９の処理へ進む。拡声放送用テキストの修正が必要な場合、操作者が入力部２０７を用いて拡声放送用テキストが修正（Ｓ８）され、拡声放送開始操作が入力されＳ９の処理へ進む。このとき、操作者の操作により拡声放送する端末局装置３０または／および戸別受信機４０を指定するか、全端末局装置３０または／および全戸別受信機４０を指定するか、または、予め設定しておいてもよい。
【００９８】
Ｓ９では、拡声放送用のテキストを拡声放送用の音声に変換する（Ｓ９）。変換された拡声放送用の音声は、指定したまたは全ての端末局３０または／および戸別受信機４０に対し拡声放送用の音声データを送信する（Ｓ１０）。
【００９９】
端末局装置３０は、拡声放送用の音声を受信すると、トランペットスピーカ３４から拡声放送用の音声を拡声放送する（Ｓ１１）。また、戸別受信機４０では、拡声放送用の音声データを受信すると、自身のスピーカから拡声放送用の音声を拡声出力する。
【０１００】
なお、Ｓ５の判断では、操作員が拡声放送の必要の有無を判断することとしたが、センター局制御部２０１が自動で判断するようにしてもよく、その際には、事象テーブル２０９ｂに事象ごとの拡声放送必要の有無を設定しておき、センター局制御部２０１が記憶部２０９の事象テーブル２０９ｂを参照して、拡声放送必要の有無の設定に応じて判断する。
【０１０１】
以上に詳述したように、本実施の形態によれば、監視端末局装置に設置されたカメラにより異常事象を検出し、拡声放送用のテキストおよび音声を自動で生成するため、緊急の場合等に住民たちにより早く危険を知らせることができる。
【０１０２】
上述した２つの実施の形態において、拡声放送用のテキストおよび音声の生成は自動で実行されるとしたが、入力部からの拡声放送用の音声生成の操作を受け付けてから生成されるようにしてもよい。
【０１０３】
また、カメラで取得した画像を画像処理することにより異常事象を検出してテキストを生成したが、これに限られるものではなく、例えば雨量計等のセンサの情報から異常事象を検出するようにしてもよい。
【０１０４】
（第２の実施の形態）
本発明に係る実施の形態を、図面を参照して説明する。本実施の形態では、施設等の侵入者や火災等の異常事象に関する画像監視システムに本発明を適用した場合を示す。
【０１０５】
図５には、本発明の情報通信システムの一実施の形態である画像監視システムを示すシステム構成図を示してある。本実施の形態に係る画像監視システムでは、監視センター局装置６０と、複数であるｐ個の監視端末局装置７０（１）〜７０（ｐ）と、複数であるｑ個の放送端末局８０（１）〜８０（ｑ）を設けてある。監視センター局装置６０は、監視対象施設内や遠隔地に設けられる。監視端末局装置７０（１）〜７０（ｐ）は、監視対象施設や屋外等に設けられる。放送端末局装置８０（１）〜８０（ｑ）は、監視対象施設内や必要な遠隔地等に設けられる。なお、複数の監視端末局装置７０（１）〜７０（ｐ）の数ｐや、複数の放送端末装置局８０（１）〜８０（ｑ）の数ｑとしては、それぞれ、種々な数が用いられてもよい。
【０１０６】
また、図５には、監視センター局装置６０と監視端末局装置７０（１）〜７０（ｐ）と放送端末局装置８０（１）〜８０（ｑ）とは、それぞれネットワークで接続されている。ネットワークは、有線であっても無線であってもよい。また、図示しないが、ネットワークには画像記録装置が接続されていることが多く、カメラで取得した画像を記録したり、要求された記録映像を配信したりする。
【０１０７】
監視センター局装置６０は、ＣＰＵと監視センター局装置６０の動作プログラム等格納するメモリとからなる監視センター局制御部６０１を備え、この監視センター局制御部６０１には記憶部６０９及びインターフェース群が接続されている。インターフェース群は、出力インターフェース６０２、入力インターフェース６０４、表示インターフェース６０６及びネットワークインターフェース６１０とから構成される。
【０１０８】
監視センター局制御部６０１は、拡声放送用テキスト生成機能６０１ａおよび音声変換機能６０１ｂを備えている。これらの制御機能はいずれも、図示しないプログラムメモリに格納されたアプリケーション・プログラムをＣＰＵに実行させることにより実現される。
【０１０９】
各監視端末局装置７０（１）〜７０（ｐ）には、画像を取得するＣＣＤなどの撮像素子を含む画像取得部７１と、画像処理により異常事象を検出する画像処理部７２と、ネットワークに接続された装置との間で信号を送受信するネットワークインターフェース７３と、が備えられている。
【０１１０】
放送端末局装置８０（１）〜８０（ｑ）は、受信した拡声放送用の音声を読出して音声として拡声放送するスピーカ８１と、ネットワークに接続された装置との間で信号を送受信するネットワークインターフェース８２と、が備えられている。
【０１１１】
ここで、本実施の形態では、監視センター局装置６０に対して、複数の監視端末局装置７０（１）〜７０（ｐ）や複数の放送端末局装置８０（１）〜８０（ｑ）が直接的にネットワーク回線６１〜２３を介して接続されるシステム構成を示すが、例えば、中継局装置を設けて、監視センター局装置６０と複数の監視端末局装置７０（１）〜７０（ｐ）や複数の放送端末局装置８０（１）〜８０（ｑ）とが中継局装置を介して接続されるようなシステム構成が用いられても良い。
【０１１２】
監視センター局６０について詳細に説明する。出力インターフェース６０２は、センター局制御部６０１で生成された音声信号をアナログ信号に変換してスピーカ６０３から拡声出力する。入力インターフェース６０４には、マイクロホン６０５及び入力部６０７が接続されている。入力インターフェース６０４は、マイクロホン６０５から入力されたシステム管理者の音声、及び入力部６０７により入力された操作情報をデジタル信号に変換して監視センター局制御部６０１へ出力する。表示インターフェース６０６は、監視センター局制御部６０１から出力された表示データを表示部６０８に表示する。表示部６０８には、例えばＬＣＤ等の表示装置が使用される。ネットワークインターフェース６１０は、センター局制御部６０１の制御の下、ネットワークに接続された装置との間で信号を送受信する。
【０１１３】
記憶部６０９には、端末局管理テーブル６０９ａ、事象テーブル６０９ｂ、および音声データ６０９ｃが記憶されている。端末局管理テーブル６０９ａには、このシステムに属する端末局のＩＤに対応付けて、端末局の状態変化を表わすデータとその時刻、および端末局の設置位置を表わす位置データが記憶されている。なお、位置データは、例えは緯度経度や監視対象施設名やフロア名や部屋名や地区名等により表わされる。
【０１１４】
拡声放送用テキスト生成機能６０１ａは、監視端末局装置７０から送信された監視端末局７０で検出された事象情報を受信すると事象の種類、発生時刻、端末局ＩＤを抽出し、端末局管理テーブル６０９ａに記憶し、これらの情報から拡声放送用のテキストを生成する。このとき、監視センター局制御部６０１が記憶部６０９内の端末局管理テーブル６０９ａおよび事象テーブル６０９ｂを参照し、例えば事象に応じたテキスト定型文に時刻や場所の情報を組み込んで拡声放送用のテキストを作成し、表示部６０８に画像等と共に表示する。このとき生成されるテキストは、例えば、「○時○分頃、正面玄関で侵入者を確認しました。」「○時○分頃、△△会議室から火災が発生しました。速やかに避難してください。」「○時○分頃、□棟２階のＡ廊下に不審物体を確認しました。」等である。ここで場所情報は、監視端末局７０の設置場所の住所が記憶されていてもよいし、監視対象施設名やフロア名や部屋名や地区名等が記憶されており、これらの情報が抽出されてテキスト化される。
【０１１５】
音声変換機能６０１ｂは、前述の拡声放送用テキスト生成機能６０１ａにより生成された拡声放送用のテキストを拡声放送用の音声に変換する。このとき、監視センター局制御部６０１が記憶部６０９内の音声データ６０９ｃを参照し、テキストに応じた音声を生成する。例えば、定型文に対応する音声を記憶しておき、時間や場所の音声を各文字の音声を繋ぎ合せて生成してもよいし、全ての文字の音声を繋ぎ合せて生成してもよい。画像監視システムの場合、監視端末局装置７０から送信されてきた異常事象を受信して、拡声放送用のテキストおよび音声を生成すると、まずスピーカ６０３から音声出力し、監視者に知らせるのが好ましい。
【０１１６】
拡声放送用テキスト生成機能６０１ａにより生成された拡声放送用のテキストまたは音声変換機能６０１ｂにより生成された拡声放送用の音声は、入力部６０７からの修正指示を受け付けると修正内容に応じて再生成される。
【０１１７】
入力部６０７から拡声放送の指示が出ると、拡声放送用の音声は、ネットワークＩ／Ｆ６１０より指定されたまたは全ての放送端末局装置８０に対して送信される。放送端末局装置８０は拡声放送用の音声を受信すると、スピーカ８１から拡声放送用の音声が拡声放送される。
【０１１８】
図６を用いて、本発明の情報通信システムの一実施の形態である画像監視システムの通信方法について説明する。ここでは監視端末局装置７０で異常事象を検出するところから拡声放送を実施するところまでを説明する。
【０１１９】
監視端末局装置７０において、監視区域を撮影し、画像取得部７１で入射光を電気信号に変換することで画像を取得する（Ｓ２１）。取得した画像は画像処理部７２によって画像処理され、異常事象の有無を判定する（Ｓ２２）。異常事象を検知すると（Ｙｅｓ）Ｓ２３の処理へ進み、異常事象を検知しなければ（Ｎｏ）Ｓ２１の処理を繰り返す。
【０１２０】
ここで、Ｓ２２の異常事象の判定について説明する。例えば侵入者であれば、取得した画像と予め取得してある基準画像等と比較して新たな移動物体を検出すると侵入者と判断でき、不審な置去り物体であれば、取得した画像を予め取得してある基準画像と比較して所定時間移動しない新たな物体を検出すると置去り物体と判断できる。その他様々な事象が検出でき、これらはパターンマッチング等の既知の画像処理技術により実現可能である。
【０１２１】
Ｓ２２で異常事象を検出すると、画像と検出した事象の種類情報を、検出時刻や端末局ＩＤと共にネットワークを介して監視センター局装置６０へ送信する（Ｓ２３）。画像監視システムにおいては、基本的に画像は送信するが、事象情報等のデータ量の少ない情報のみを送信することとしてもよい。
【０１２２】
監視センター局装置６０では、これらの情報を受信すると、監視センター局制御部６０１へ入力する。そして、拡声放送用テキスト生成機能６０１ａおよび音声変換機能６０１ｂにより、受信した事象情報に基づいて拡声放送用のテキストおよび音声を生成し、音声をスピーカ８１から出力する（Ｓ２４）。ここで、拡声放送が必要か不要かを操作者に判断させ（Ｓ２５）、必要と判断された場合には（Ｙｅｓ）Ｓ２６へ進み、不要と判断された場合には（Ｎｏ）拡声放送せずに処理を終了する。拡声放送が必要と判断された場合、拡声放送用のテキストの内容確認が必要な設定か否かによって処理が分岐する（Ｓ２６）。確認が必要ない場合には（Ｎｏ）、Ｓ２９の処理へ進み自動的に拡声放送する。確認が必要な場合には（Ｙｅｓ）、Ｓ２７の処理へ進む。
【０１２３】
確認が必要な設定の場合、操作者が、表示部６０８に表示された拡声放送用テキストを確認し（Ｓ２７）、修正が必要な場合（Ｙｅｓ）はＳ２８の処理へ進み、修正が必要ない場合（Ｎｏ）は、操作者により拡声放送開始操作が入力されＳ２９の処理へ進む。拡声放送用テキストの修正が必要な場合、操作者が入力部６０７を用いて拡声放送用テキストが修正（Ｓ２８）され、拡声放送開始操作が入力されＳ２９の処理へ進む。このとき、操作者の操作により、拡声放送する放送端末局装置８０を指定するか、全放送端末局装置８０を指定するか、または、予め設定しておいてもよい。
【０１２４】
Ｓ２９では、音声変換機能６０１ｂにより、拡声放送用のテキストを拡声放送用の音声に変換する（Ｓ２９）。変換した拡声放送用の音声は、指定したまたは全ての放送端末局装置８０に対し拡声放送用の音声データを送信する（Ｓ３０）。
【０１２５】
そして、放送端末局装置８０は、拡声放送用の音声を受信すると、スピーカ３４から拡声放送用の音声を拡声放送する（Ｓ３１）。
【０１２６】
なお、Ｓ２５の判断では、操作員が拡声放送の必要の有無を判断することとしたが、監視センター局制御部６０１が自動で判断するようにしてもよく、その際には、事象テーブル６０９ｂに事象ごとの拡声放送必要の有無を設定しておき、監視センター局制御部６０１が記憶部６０９の事象テーブル６０９ｂを参照して、拡声放送必要の有無の設定に応じて判断する。
【０１２７】
以上に詳述したように、本実施の形態によれば、監視端末局により異常事象を検出し、拡声放送用のテキストおよび音声を自動で生成するため、緊急の場合等に関係者により早く危険を知らせることができる。
【０１２８】
（第３の実施の形態）
本発明に係る実施の形態を、図７を参照して説明する。本実施の形態では、端末局装置において検知した事象の情報に基づいて、拡声放送用のテキストデータを作成することなくダイレクトに音声データを作成する場合について説明する。
【０１２９】
端末局装置３０内に設置されたカメラ３５は、監視区域を撮影し、画像取得部３６で入射光を電気信号に変換することで画像を取得する（Ｓ４１）。取得した画像は画像処理部３７によって画像処理され、異常事象の有無を判定する（Ｓ４２）。異常事象を検知すると（Ｙｅｓ）Ｓ４３の処理へ進み、異常事象を検知しなければ（Ｎｏ）Ｓ４１の処理を繰り返す。
【０１３０】
Ｓ４２で異常事象を検出すると、画像と検出した事象の種類情報を、検出時刻や端末局ＩＤと共に無線回線２１を介してセンター局１０へ送信する（Ｓ４３）。ここでは画像も送信することにしてあるが、拡声放送用のテキストを作成するのに最低限必要な事象の種類情報と時間情報と端末局ＩＤ等といった、データ量の少ない情報のみを送信することとしてもよい。
【０１３１】
センター局１０では、これらの情報を受信すると、操作卓２内のセンター局制御部２０１へ入力する。そして、拡声放送用音声生成機能（図示せず）により、受信した事象情報に基づいて拡声放送用の音声データを生成し（Ｓ４４）、変換された拡声放送用の音声データは、指定したまたは全ての端末局３０または／および戸別受信機４０に対し送信する（Ｓ４５）。端末局装置３０は、拡声放送用の音声データを受信すると、トランペットスピーカ３４から拡声放送用の音声を拡声放送する（Ｓ４６）。また、戸別受信機４０では、拡声放送用の音声データを受信すると、自身のスピーカから拡声放送用の音声を拡声出力する。
【０１３２】
本実施の形態によれば、端末局装置または監視端末局により異常事象を検出すると、センター局または監視センター局で拡声放送用の音声を自動的に生成して、拡声放送できるため、より迅速に異常事態を知らせることができる。
【０１３３】
（第４の実施の形態）
本発明に係る実施の形態を、図８を参照して説明する。本実施の形態では、端末局装置において検知した事象の情報に基づいて、拡声放送用のテキストデータを作成し、予め登録した職員の端末へ送信する。
【０１３４】
端末局装置３０内に設置されたカメラ３５は、監視区域を撮影し、画像取得部３６で入射光を電気信号に変換することで画像を取得する（Ｓ５１）。取得した画像は画像処理部３７によって画像処理され、異常事象の有無を判定する（Ｓ５２）。異常事象を検知すると（Ｙｅｓ）Ｓ５３の処理へ進み、異常事象を検知しなければ（Ｎｏ）Ｓ５１の処理を繰り返す。
【０１３５】
Ｓ５２で異常事象を検出すると、画像と検出した事象の種類情報を、検出時刻や端末局ＩＤと共に無線回線２１を介してセンター局１０へ送信する（Ｓ５３）。ここでは画像も送信することにしてあるが、拡声放送用のテキストを作成するのに最低限必要な事象の種類情報と時間情報と端末局ＩＤ等といった、データ量の少ない情報のみを送信することとしてもよい。
【０１３６】
センター局１０では、これらの情報を受信すると、操作卓２内のセンター局制御部２０１へ入力する。そして、拡声放送用テキスト生成機能２０１ａにより、受信した事象情報に基づいて拡声放送用のテキストを生成する（Ｓ５４）。生成した拡声放送用のテキストデータは、Ｅメール等の送信機能（図示せず）によって、予め登録された職員の端末（例えば携帯電話やパソコン、その他専用端末。図示せず）に対して送信される（Ｓ５５）。このとき、センター局１０側で受信した画像があれば合わせて職員の端末へ送信してもよい。
【０１３７】
職員の端末は、拡声放送用のテキストデータ情報を受信すると、画面に拡声放送用のテキストデータが文字列として表示され、必要に応じて編集する。また、同時に拡声放送の要否を選択するチェックボックスやコード入力欄も合わせて表示され、職員の入力に基づいて、拡声放送の要否に関する情報が生成される。拡声放送用のテキストデータは、修正されれば修正後の、修正がなければ当初の内容で、拡声放送の要否に関する情報とともにセンター局１０へ返信される（Ｓ５６）。
【０１３８】
センター局１０は、職員の端末から返信されたデータを受信すると（Ｓ５７）、拡声放送の要否に関する情報に基づいて、拡声放送「要」の場合（Ｙｅｓ）、受信した拡声放送用のテキストデータを音声データに変換し（Ｓ５９）、指定したまたは全ての端末局３０または／および戸別受信機４０に対し変換された拡声放送用の音声データを送信する（Ｓ６０）。一方、拡声放送「否」の場合には（Ｎｏ）、拡声放送せずに処理を終了する。
【０１３９】
そして、端末局装置３０は、拡声放送用の音声を受信すると、トランペットスピーカ３４から拡声放送用の音声を拡声放送する（Ｓ１１）。
【０１４０】
本実施の形態では、拡声放送用のテキストデータをＥメールで送信するようにしたが、専用サイトのＵＲＬを送信し、専用サイト上でテキストの修正や放送指示の操作ができるようにしてもよい。また、自動的に電話をかけ、拡声放送用の内容を音声として出力し、職員の携帯電話からダイヤル操作によって拡声放送の要否を決定することとしてもよい。
【０１４１】
また、本実施の形態では、拡声放送が必要か否かの判断を職員の操作に任せているが、職員がすぐに応答できない事態を想定し、所定時間内（例えば５分）に職員からの指示を受け付けなかったら作成した内容で自動的に拡声放送が開始されるようにしてもよい。一方、所定時間内に職員の指示を受け付けなかったら拡声放送しないようにしてもよく、いずれにするかは自動的に放送するようにするかは、運用する者が予め設定しておくのがよい。
【０１４２】
以上に詳述したように、本実施の形態によれば、監視端末局により異常事象を検出し、拡声放送用のテキストを職員に対し送信することで、担当職員が勤務時間外などで不在の場合であっても、異常事象の発生を遠隔で確認でき、また、拡声放送を遠隔で指示できることで、時間や場所に関わらず異常事象に対応することができる。
【０１４３】
上述してきたそれぞれの実施の形態においては、端末局装置において事象を検知した際に、センター局装置に対して画像と事象情報（種類情報と時間情報と端末局ＩＤ）を送信するようにしているが、例えば事象情報のみを送信して、画像表示なしで拡声放送用データを作成するようにしてもよい。
【０１４４】
また、カメラが雲台一体型カメラ等の旋回可能なカメラである場合には、通常、プリセット動作という予め定めた複数のポイントを時間などに基づいて巡回的に撮像する運用がされているが、プリセット位置ごとに撮像している対象や場所を予め登録しておくか地図情報とカメラの位置情報および向きやズーム比率と照らし合わせて場所を特定することにより場所情報を取得し、より詳細な場所情報をセンター局装置側に送信するようにしてもよい。
【０１４５】
また、センター局装置から端末局装置へテキストデータを送信し、端末局装置において受信したテキストデータを音声変換して拡声放送するシステムの場合には、センター局装置で事象情報に基づいて作成したテキストデータを端末局装置へ送信し、端末局装置において音声変換して拡声放送するようにしてもよい。
【０１４６】
また、センター局装置から戸別受信機へテキストデータを送信し、個別受信機において受信したテキストデータを文字として表示したり音声変換して拡声出力したりするシステムの場合には、センター局装置で事象情報に基づいて作成したテキストデータを戸別受信機へ送信し、戸別受信機において拡声放送用のテキストデータを文字としてその表示部に表示したり、音声変換して拡声放送したりするようにしてもよい。
【０１４７】
以上、本発明を複数の実施の形態を用いて説明してきたが、これらの実施の形態に限定するものではない。例えば、異常事象検出のための画像処理機能は、本実施の形態ではカメラに備えることとしたが、カメラとは別体の画像処理装置を設けてもよいし、監視センター側に設けてもよい。また、テキスト生成機能と音声変換機能は同一の媒体に備わっていてもよいし、別々の媒体に備わっていてもよい。
【０１４８】
要するに本発明は、上記各実施の形態そのままに限定されるものではなく、実施段階ではその要旨を逸脱しない範囲で構成要素を変形して具体化できる。また、上記各実施の形態に開示されている複数の構成要素の適宜な組み合せにより種々の発明を形成できる。例えば、各実施の形態に示される全構成要素から幾つかの構成要素を削除してもよい。さらに、異なる実施の形態に亘る構成要素を適宜組み合せてもよい。
【符号の説明】
【０１４９】
１・・基地局無線送受信装置、２・・操作卓、３・・端末局本体、１０・・センター局装置、１１・・センター局制御部、１２・・センター局無線部、１３・・センター局アンテナ、２１・・無線回線、２２・・無線回線、２３・・無線回線、２４・・無線回線、３０・・端末局装置、３１・・端末局制御部、３２・・端末局無線部、３３・・端末局アンテナ、３４・・トランペットスピーカ、３５・・カメラ、３６・・画像取得部、３７・・画像処理部、４０・・戸別受信機、４１・・録音再生部、４２・・モニタスピーカ、５０・・監視端末局装置、５１・・監視端末局制御部、５２・・監視端末局無線部、５３・・監視端末局アンテナ、５５・・カメラ、５６・・画像取得部、５７・・画像処理部、６０・・監視センター局装置、７０・・監視端末局装置、７１・・画像取得部、７２・・画像処理部、７３・・ネットワークインターフェース、８０・・放送端末局装置、８１・・スピーカ、８２・・ネットワークインターフェース、２０１・・センター局制御部、２０１ａ・・拡声放送用テキスト生成機能、２０１ｂ・・音声変換機能、２０２・・出力インターフェース、２０３・・スピーカ、２０４・・入力インターフェース、２０５・・マイクロホン、２０６・・表示インターフェース、２０７・・入力部、２０８・・表示部、２０９・・記憶部、２０９ａ・・端末局管理テーブル、２０９ｂ・・事象テーブル、２０９ｃ・・音声データ、２１０・・無線インターフェース、６０１・・監視センター局制御部、６０１ａ・・拡声放送用テキスト生成機能、６０１ｂ・・音声変換機能、６０２・・出力インターフェース、６０３・・スピーカ、６０４・・入力インターフェース、６０５・・マイクロホン、６０６・・表示インターフェース、６０７・・入力部、６０８・・表示部、６０９・・記憶部、６０９ａ・・端末局管理テーブル、６０９ｂ・・事象テーブル、６０９ｃ・・音声データ、２１０・・ネットワークインターフェース。
【図１】
2014183456.tif 000003
【図２】
2014183456.tif 000004
【図３】
2014183456.tif 000005
【図４】
2014183456.tif 000006
【図５】
2014183456.tif 000007
【図６】
2014183456.tif 000008
【図７】
2014183456.tif 000009
【図８】
2014183456.tif 000010